(57)【特許請求の範囲】
【請求項１】
板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダであって、
前記ヘッダ本体の外側面部のうち、対向する一対の外側面部には、前記熱媒供給部と前記熱媒排出部とが前記ヘッダ本体の外周方向に交互に並ぶ状態で配設され、
前記ヘッダ本体が、それの上下方向に分割形成された複数の板状構成体を積層状態で接合して構成され、
前記ヘッダ本体における前記熱媒供給用連通路を形成する部分が、平板状の供給用平板構成体と内部を繰り抜いた中空状の供給用中空構成体と平板状の中間平板構成体とから構成され、
前記ヘッダ本体における前記熱媒戻し用連通路を形成する部分が、前記中間平板構成体と内部を繰り抜いた中空状の戻し用中空構成体と平板状の戻し用平板構成体とから構成され、
前記ヘッダ本体が、前記供給用平板構成体と前記中間平板構成体との間に前記供給用中空構成体を挟み込み、かつ、前記中間平板構成体と前記戻し用平板構成体との間に前記戻し用中空構成体を挟み込む状態で、前記供給用平板構成体と前記供給用中空構成体と前記中間平板構成体と前記戻し用中空構成体と前記戻し用平板構成体とを積層状態で接合して構成されている床暖房パネル用熱媒ヘッダ。
【請求項２】
前記ヘッダ本体における前記熱媒受入用接続部を接続する熱媒受入用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒受入用中継路を形成すべく、熱媒受入用中継路形成部分が、前記供給用中空構成体と前記中間平板構成体と前記戻し用中空構成体とに備えられ、
前記ヘッダ本体における前記熱媒供給部を接続する熱媒供給用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒供給用中継路を形成すべく、熱媒供給用中継路形成部分が、前記供給用中空構成体と前記中間平板構成体と前記戻し用中空構成体とに備えられ、
前記ヘッダ本体における前記熱媒戻し用接続部を接続する熱媒戻し用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒戻し用中継路を形成すべく、熱媒戻し用中継路形成部分が、前記供給用中空構成体と前記中間平板構成体と前記戻し用中空構成体とに備えられ、
前記ヘッダ本体における前記熱媒排出部を接続する熱媒排出用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒排出用中継路を形成すべく、熱媒排出用中継路形成部分が、前記供給用中空構成体と前記中間平板構成体と前記戻し用中空構成体とに備えられている請求項１に記載の床暖房パネル用熱媒ヘッダ。
【請求項３】
前記ヘッダ本体は、前記熱媒供給用連通路と前記熱媒戻し用連通路との間を断熱するように構成されている請求項１又は２のいずれか１項に記載の床暖房パネル用熱媒ヘッダ。
【発明の詳細な説明】
【０００１】
【発明の属する技術分野】
本発明は、板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダに関する。
【０００２】
【従来の技術】
上記のような床暖房パネル用熱媒ヘッダは、熱媒受入用接続部に熱源からの熱源用往き管を接続し、熱媒戻し用接続部に熱源への熱源用戻し管を接続し、熱媒供給部に床暖房パネルにおける熱媒流通管の熱媒入口を接続し、熱媒排出部に床暖房パネルにおける熱媒流通管の熱媒出口を接続して使用され、熱源からの熱源用往き管を通して供給される熱媒を分流させて床暖房パネルにおける熱媒流通管に供給するとともに、床暖房パネルにおける熱媒流通管を通過してから戻ってくる熱媒を合流させて熱源への熱源用戻し管を通して熱源に戻すためのものである。
【０００３】
上記のような床暖房パネル用熱媒ヘッダにおいて、従来では、ヘッダ本体が角筒状に形成され、その角筒状のヘッダ本体の内部に板状体を備えることによって、ヘッダ本体の内部に、熱媒供給用連通路と熱媒戻し用連通路とをヘッダ本体の上下方向にずらした状態で区画形成するようにしている（例えば、特許文献１参照。）。
【０００４】
また、他の従来の床暖房パネル用熱媒ヘッダでは、ブロック体の内部をドリルにて加工することによって、ヘッダ本体の内部に、熱媒供給用連通路と熱媒戻し用連通路とをヘッダ本体の上下方向にずらした状態で区画形成するようにしている（例えば、特許文献２参照。）。
【０００５】
【特許文献１】
特開平１１−１０８３８２号公報
【特許文献２】
特開平９−２６９１３５号公報
【０００６】
【発明が解決しようとする課題】
上記特許文献１に示されている床暖房パネル用熱媒ヘッダでは、角筒状のヘッダ本体の内部に板状体を備えることにより、熱媒供給用連通路と熱媒戻し用連通路とを区画形成するようにしているので、熱媒供給用連通路を通流する熱媒と熱媒戻し用連通路を通流する熱媒とが混ざり合うことを防止するために、板状体の外周縁をその全周にわたってヘッダ本体の内面に熱媒の漏れがないように接合しなければならず、ヘッダ本体の製作が手間のかかるものとなっている。
【０００７】
ちなみに、熱媒戻し用連通路を通流する熱媒が、床暖房パネルを通過することにより温度低下した熱媒であるので、その温度低下した熱媒戻し用連通路を通流する熱媒と床暖房パネルに供給される熱媒供給用連通路を通流する熱媒とが混ざり合うと、床暖房パネルに供給される熱媒の温度が低くなって、暖房能力が低下する虞がある。
【０００８】
上記特許文献２に示されている床暖房パネル用熱媒ヘッダでは、ブロック体の内部をドリルにて加工することによって、熱媒供給用連通路と熱媒戻し用連通路とを区画形成しているので、そのドリルによる加工を行うだけで、熱媒供給用連通路を通流する熱媒と熱媒戻し用連通路を通流する熱媒とが混ざり合わないように、熱媒供給用連通路と熱媒戻し用連通路とを区画形成できることになる。
しかしながら、ドリルにて加工することによって、熱媒供給用連通路と熱媒戻し用連通路を形成する作業自体が手間のかかるものであるので、ヘッダ本体の製作が手間のかかるものとなっている。
【０００９】
また、ドリルにて加工することによって、熱媒供給用連通路と熱媒戻し用連通路とを区画形成するものでは、熱媒供給用連通路と熱媒戻し用連通路の通路面積が小さくなるので、熱媒供給用連通路と熱媒戻し用連通路の通路抵抗が大きくなり、床暖房パネル用熱媒ヘッダから床暖房パネルに供給される熱媒の量が少なくなる。
したがって、床暖房パネル用熱媒ヘッダから床暖房パネルに供給される熱媒の量が少なくなるのを防止するために、熱媒供給用連通路の本数を複数にするなどの加工が必要となり、複数の熱媒供給用連通路を形成するようにドリルにて加工することとなって、この点からも、ヘッダ本体の製作が手間のかかるものとなる。
【００１０】
ちなみに、床暖房パネル用熱媒ヘッダから床暖房パネルに供給される熱媒の量が少なくなると、熱源から床暖房パネル用熱媒ヘッダに対して床暖房パネルにて要求されている量の熱媒を供給しているにもかかわらず、床暖房パネルには要求されている量の熱媒が供給されないことになるので、暖房能力が低下する虞がある。
【００１１】
本発明は、かかる点に着目してなされたものであり、その目的は、ヘッダ本体の製作の容易化を図ることができる床暖房パネル用熱媒ヘッダを提供する点にある。
【００１２】
【課題を解決するための手段】
〔請求項１記載の発明〕
この目的を達成するために、請求項１に記載の発明によれば、板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダにおいて、
前記ヘッダ本体の外側面部のうち、対向する一対の外側面部には、前記熱媒供給部と前記熱媒排出部とが前記ヘッダ本体の外周方向に交互に並ぶ状態で配設され、前記ヘッダ本体が、それの上下方向に分割形成された複数の板状構成体を積層状態で接合して構成され、
前記ヘッダ本体における前記熱媒供給用連通路を形成する部分が、平板状の供給用平板構成体と内部を繰り抜いた中空状の供給用中空構成体と平板状の中間平板構成体とから構成され、
前記ヘッダ本体における前記熱媒戻し用連通路を形成する部分が、前記中間平板構成体と内部を繰り抜いた中空状の戻し用中空構成体と平板状の戻し用平板構成体とから構成され、
前記ヘッダ本体が、前記供給用平板構成体と前記中間平板構成体との間に前記供給用中空構成体を挟み込み、かつ、前記中間平板構成体と前記戻し用平板構成体との間に前記戻し用中空構成体を挟み込む状態で、前記供給用平板構成体と前記供給用中空構成体と前記中間平板構成体と前記戻し用中空構成体と前記戻し用平板構成体とを積層状態で接合して構成されていることを特徴とする。
【００１３】
すなわち、ヘッダ本体が、それの上下方向に分割形成された複数の板状構成体を積層状態で接合して構成されているので、例えば、内部を繰り抜いた中空状、断面が凹入状や平板状の板状構成体を組み合わせて積層状態で接合することにより、熱媒供給用連通路と熱媒戻し用連通路とをヘッダ本体の上下方向にずらした状態で区画形成して、ヘッダ本体を構成することができることになる。
そして、複数の板状構成体を積層状態で接合するので、大きな接合面を備えて、その接合面にて複数の板状構成体の接合を行うことができることになる。
したがって、大きな接合面にて板状構成体を積層状態で接合することができるので、熱媒の漏れがないように容易に接合することができることとなって、ヘッダ本体の製作の容易化を図ることができることになる。
【００１４】
また、複数の板状構成体は、板状のヘッダ本体の上下方向に分割形成されているので、ヘッダ本体の横方向に分割形成されているものと比べて、少ない枚数の板状構成体にてヘッダ本体を構成することができることになり、この点からも、ヘッダ本体の製作の容易化を図ることができることになる。
【００１５】
そして、熱媒供給用連通路の形状、および、熱媒戻し用連通路の形状は、板状構成体の形状に応じて決まるので、板状構成体の形状を調整することによって、熱媒供給用連通路の形状、および、熱媒戻し用連通路の形状を、ヘッダ本体の上下方向に薄くて横幅が広い偏平な形状として、熱媒供給用連通路および熱媒戻し用連通路の通路面積を大きなものとすることができることになる。
したがって、熱媒供給用連通路と熱媒戻し用連通路の通路抵抗を小さくすることができて、あらたな加工を施さなくても、床暖房パネル用熱媒ヘッダから床暖房パネルに供給される熱媒の量が少なくなるのを防止することができることとなって、この点からも、ヘッダ本体の製作の容易化を図ることができることになる。
【００１６】
以上のことから、請求項１に記載の発明によれば、単に、複数の板状構成体を積層状態で接合するだけで、熱媒供給用連通路を通流する熱媒と熱媒戻し用連通路を通流する熱媒とが混ざり合わないように、熱媒供給用連通路と熱媒戻し用連通路とを区画形成し、かつ、熱媒供給用連通路および熱媒戻し用連通路の通路面積を大きくしながら、ヘッダ本体を製作することができることとなって、ヘッダ本体の製作の容易化を図ることができる床暖房パネル用熱媒ヘッダを提供できるに至った。
【００１８】
又、請求項１に記載の発明によれば、供給用平板構成体と中間平板構成体との間に供給用中空構成体を挟み込む状態で、供給用平板構成体と供給用中空構成体と中間平板構成体とを積層状態で接合することにより、供給用中空構成体における中空空間を利用して熱媒供給用連通路を形成することができ、その熱媒供給用連通路の形状をヘッダ本体の上下方向に薄くて横幅が広い偏平な形状とすることができることになる。
また、中間平板構成体と戻し用平板構成体との間に戻し用中空構成体を挟み込む状態で、中間平板構成体と戻し用中空構成体と戻し用平板構成体とを積層状態で接合することにより、戻し用中空構成体における中空空間を利用して熱媒戻し用連通路が形成され、その熱媒戻し用連通路の形状をヘッダ本体の上下方向に薄くて横幅が広い偏平な形状とすることができることになる。
【００１９】
このように、熱媒供給用連通路の形状、および、熱媒戻し用連通路の形状を、ヘッダ本体の上下方向に薄くて横幅が広い偏平な形状とすることができるので、ヘッダ本体をその上下方向に薄くしながらも、熱媒供給用連通路および熱媒戻し用連通路の通路面積を大きくすることができることになる。
そして、ヘッダ本体をその上下方向に薄くすることによって、ヘッダ本体の上下方向での厚みが薄い床暖房パネルであっても、その床暖房パネルよりも上方側に突出しない薄型の床暖房パネル用熱媒ヘッダを製作することができることになり、ヘッダ本体の上下方向での厚みが薄い床暖房パネルにも対応可能な床暖房パネル用熱媒ヘッダを製作することができることになる。
【００２０】
したがって、供給用平板構成体と供給用中空構成体と中間平板構成体と戻し用中空構成体と戻し用平板構成体とを積層状態で接合するだけで、熱媒供給用連通路の形状、および、熱媒戻し用連通路の形状を、ヘッダ本体の上下方向に薄くて横幅が広い偏平な形状として、ヘッダ本体の上下方向での厚みが薄い床暖房パネルにも対応可能な床暖房パネル用熱媒ヘッダを製作することができながら、ヘッダ本体の製作の容易化を図ることができることになる。
【００２１】
請求項２に記載の発明によれば、前記ヘッダ本体における前記熱媒受入用接続部を接続する熱媒受入用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒受入用中継路を形成すべく、熱媒受入用中継路形成部分が、前記供給用中空構成体と前記中間平板構成体と前記戻し用中空構成体とに備えられ、
前記ヘッダ本体における前記熱媒供給部を接続する熱媒供給用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒供給用中継路を形成すべく、熱媒供給用中継路形成部分が、前記供給用中空構成体と前記中間平板構成体と前記戻し用中空構成体とに備えられ、
前記ヘッダ本体における前記熱媒戻し用接続部を接続する熱媒戻し用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒戻し用中継路を形成すべく、熱媒戻し用中継路形成部分が、前記供給用中空構成体と前記中間平板構成体と前記戻し用中空構成体とに備えられ、
前記ヘッダ本体における前記熱媒排出部を接続する熱媒排出用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒排出用中継路を形成すべく、熱媒排出用中継路形成部分が、前記供給用中空構成体と前記中間平板構成体と前記戻し用中空構成体とに備えられていることを特徴とする。
【００２２】
すなわち、供給用中空構成体における中空空間が、熱媒供給用連通路として利用され、戻し用中空構成体における中空空間が、熱媒戻し用連通路として利用されることになるので、熱媒受入用中継路が、熱媒供給用連通路と連通しかつ熱媒戻し用連通路と仕切られることになる。
また、熱媒供給用中継路は、熱媒供給用連通路と連通しかつ熱媒戻し用連通路と仕切られ、熱媒戻し用中継路は、熱媒供給用連通路と仕切られかつかつ熱媒戻し用連通路と連通し、熱媒排出用中継路は、熱媒供給用連通路と仕切られかつかつ熱媒戻し用連通路と連通することになる。
【００２３】
そして、供給用平板構成体と供給用中空構成体と中間平板構成体と戻し用中空構成体と戻し用平板構成体とを積層状態で接合することにより、熱媒受入用接続箇所には、熱媒供給用連通路と連通しかつ熱媒戻し用連通路と仕切られている熱媒受入用中継路が形成される。
また、熱媒供給用接続箇所には、熱媒供給用連通路と連通しかつ熱媒戻し用連通路と仕切られている熱媒供給用中継路が形成され、熱媒戻し用接続箇所には、熱媒戻し用連通路と連通しかつ熱媒供給用連通路と仕切られている熱媒戻し用中継路が形成され、熱媒排出用接続箇所には、熱媒戻し用連通路と連通しかつ熱媒供給用連通路と仕切られている熱媒排出用中継路が形成されることになる。
【００２４】
したがって、熱媒受入用接続部、熱媒戻し用接続部、熱媒供給部、および、熱媒排出部を接続するに当たって、供給用平板構成体と供給用中空構成体と中間平板構成体と戻し用中空構成体と戻し用平板構成体とを積層状態で接合したのち、熱媒受入用中継路、熱媒供給用中継路、熱媒戻し用中継路、および、熱媒排出用中継路に、例えば、ドリルにて孔加工することにより、熱媒受入用接続部と熱媒供給用連通路と熱媒供給部とを連通しかつ熱媒受入用接続部と熱媒供給用連通路と熱媒供給部とを連通することができることになる。
【００２５】
したがって、例えば、ドリルにて孔加工するという簡素な加工を行うだけで、熱媒受入用接続部と熱媒供給用連通路と熱媒供給部とを連通しかつ熱媒受入用接続部と熱媒供給用連通路と熱媒供給部とを連通する状態で、熱媒受入用接続部、熱媒戻し用接続部、熱媒供給部、および、熱媒排出部を接続することができることとなって、熱媒受入用接続部、熱媒戻し用接続部、熱媒供給部、および、熱媒排出部の接続を容易に行うことができることになる。
【００２９】
請求項３に記載の発明によれば、前記ヘッダ本体は、前記熱媒供給用連通路と前記熱媒戻し用連通路との間を断熱するように構成されていることを特徴とする。
【００３０】
すなわち、床暖房パネルに供給される熱媒供給用連通路を通流する熱媒と、床暖房パネルの通過により温度低下した熱媒戻し用連通路を通流する熱媒との間での熱の授受を防止することができることになるので、熱媒供給用連通路を通流する熱媒が熱媒戻し用連通路を通流する熱媒にて冷却されることを防止することができることになる。
したがって、床暖房パネルに供給される熱媒の温度が低くなるのを防止することができることとなって、暖房能力が低下するのを防止できることになる。
【００３１】
【発明の実施の形態】
本発明にかかる床暖房パネル用熱媒ヘッダを適応した床暖房パネルを図面に基づいて説明する。
〔第１実施形態〕
この床暖房パネルは、図１に示すように、熱媒流通管１が埋入状態で配管されている板状基材２からなる床暖房パネル本体３から構成され、その床暖房パネル本体３に蛇行状に配管されている熱媒流通管１に床暖房パネル用熱媒ヘッダ４を介して図外の熱源機から熱媒としての温水を流通させることにより、暖房対象の床を暖房するように構成されている。
そして、床暖房パネル用熱媒ヘッダ４には、４本の熱媒流通管１が接続され、板状基材２に形成された溝部に熱媒流通管１を嵌め込むことにより、熱媒流通管１を埋入状態で配管するように構成されている。
【００３２】
前記熱媒流通管１は、一般的に架橋ポリエチレン管やポリブテン樹脂管などが使用され、接続部のない管から構成され、配管の信頼性を高めるようにしている。
そして、熱媒流通管１の両端は、床暖房パネル用熱媒ヘッダ４に接続され、図外の熱源機から熱媒が床暖房パネル用熱媒ヘッダ４を介して４本の熱媒流通管１の夫々に分流して供給され、４本の熱媒流通管１を通過した熱媒が床暖房パネル用熱媒ヘッダ４を介して合流して熱源機に戻されるように構成されている。
【００３３】
前記床暖房パネル本体３は、板状基材２と、熱媒流通管１が配管された状態で板状基材２の上面に設けられる均熱用の表面板５とから構成されている。
そして、板状基材２の材質は、発泡樹脂製のもの、木質製のものや、樹脂製のものなどが適応可能であり、発泡樹脂製のものでは、例えば、硬質のポリスチレン発泡体やポリエスチレン発泡体など各種の発泡体が適応可能であり、発泡体の上面に合成樹脂製の樹脂シート成型体を積層する構成としてもよい。
また、均熱用の表面板５としては、アルミ箔や熱伝導率がよい可撓性の薄い金属などで構成するようにしている。
【００３４】
以下、床暖房パネル用熱媒ヘッダ４の構成について説明を加える。
前記床暖房パネル用熱媒ヘッダ４は、図２に示すように、板状のブロック体からなるヘッダ本体６から構成され、そのヘッダ本体６の外周部に、熱源機からの熱媒受入用接続部７、熱源機への熱媒戻し用接続部８、床暖房パネルの熱媒入口に接続される熱媒供給部９、および、床暖房パネルの熱媒出口に接続される熱媒排出部１０が備えられている。
そして、ヘッダ本体６の内部には、図３に示すように、熱媒受入用接続部７と熱媒供給部９とを連通接続する熱媒供給用連通路１１と、熱媒戻し用接続部８と熱媒排出部１０とを連通接続する熱媒戻し用連通路１２とがヘッダ本体６の上下方向にずらした状態で区画形成されている。
【００３５】
説明を加えると、ヘッダ本体６の外側面部のひとつには、図２に示すように、熱媒受入用接続部７と熱媒戻し用接続部８とが、ヘッダ本体６の外周方向に並ぶように配設されている。
そして、熱媒受入用接続部７に熱源機からの熱源用往き管を接続し、熱媒戻し用接続部８に熱源機への熱源用戻し管を接続するように構成されている。
【００３６】
また、ヘッダ本体６の外側面部のうち、熱媒受入用接続部７と熱媒戻し用接続部８とが設けられている側面部に隣接する側面部には、熱媒供給部９の配設位置と熱媒排出部１０の配設位置とが対向する状態で、熱媒供給部９と熱媒排出部１０とがヘッダ本体６の外周方向に交互に並ぶように熱媒供給部９の２つと熱媒排出部１０の２つが配設されている。
このようにして、ヘッダ本体６の外側面部のうち、対向する一対の外側面部には、熱媒供給部９と熱媒排出部１０とがヘッダ本体６の外周方向に交互に並ぶ状態で配設され、熱媒供給部９に熱媒流通管１の熱媒入口側の端部を接続し、熱媒排出部１０に熱媒流通管１の熱媒出口側の端部を接続するように構成されている。
【００３７】
前記ヘッダ本体６の構成について説明を加えると、ヘッダ本体６が、図２〜図５に示すように、それの上下方向に分割形成された複数の板状構成体２６を積層状態で接合して構成されている。
ちなみに、図２は、床暖房パネル用熱媒ヘッダ４の斜視図であり、図３は、床暖房パネル用熱媒ヘッダ４の縦断面図であり、図４は、ヘッダ本体６の分解斜視図であり、図５は、複数の板状構成体２６の平面図である。
また、図３の（イ）は、床暖房パネル用熱媒ヘッダ４の縦断正面図であり、図３の（ロ）は、熱媒受入用接続部７を示す床暖房パネル用熱媒ヘッダ４の縦断側面図であり、図３の（ハ）は、熱媒戻し用接続部８を示す床暖房パネル用熱媒ヘッダ４の縦断側面図である。
【００３８】
説明を加えると、ヘッダ本体６における熱媒供給用連通路１１を形成する部分が、図５に示すように、平板状の供給用平板構成体２７と内部を繰り抜いた中空状の供給用中空構成体２８と平板状の中間平板構成体２９とから構成されている。
また、ヘッダ本体６における熱媒戻し用連通路１２を形成する部分が、中間平板構成体２９と内部を繰り抜いた中空状の戻し用中空構成体３０と平板状の戻し用平板構成体３１とから構成されている。
ちなみに、図５の（イ）は、供給用平板構成体２７を示し、図５の（ロ）は、供給用中空構成体２８を示し、図５の（ハ）は、中間平板構成体２９を示し、図５の（ニ）は、戻し用中空構成体３０を示し、図５の（ホ）は、戻し用平板構成体３１を示している。
【００３９】
そして、ヘッダ本体６が、図４に示すように、供給用平板構成体２７と中間平板構成体２９との間に供給用中空構成体２８を挟み込み、かつ、中間平板構成体２９と戻し用平板構成体３１との間に戻し用中空構成体３０を挟み込む状態で、供給用平板構成体２７と供給用中空構成体２８と中間平板構成体２９と戻し用中空構成体３０と戻し用平板構成体３１とを積層状態で接合して構成されている。
【００４０】
このようにして、供給用平板構成体２７と供給用中空構成体２８と中間平板構成体２９と戻し用中空構成体３０と戻し用平板構成体３１との複数の板状構成体２６を積層状態で接合することによって、供給用中空構成体２８における中空空間２８ａを利用して熱媒供給用連通路１１を形成し、その熱媒供給用連通路１１の形状をヘッダ本体６の上下方向に薄くて横幅が広い偏平な形状とするように構成されている。
また、熱媒戻し用連通路１２についても、戻し用中空構成体３０における中空空間３０ａを利用して熱媒戻し用連通路１２を形成し、その熱媒戻し用連通路１２の形状をヘッダ本体６の上下方向に薄くて横幅が広い偏平な形状とするように構成されている。
【００４１】
そして、供給用平板構成体２７と供給用中空構成体２８と中間平板構成体２９と戻し用中空構成体３０と戻し用平板構成体３１との複数の板状構成体２６は、いずれも真鍮製の薄板体にて構成されている。
また、供給用平板構成体２７と戻し用平板構成体３１とは、例えば、その厚みが１ｍｍ程度に構成され、供給用中空構成体２８と中間平板構成体２９と戻し用中空構成体３０とは、例えば、その厚みが２ｍｍ程度に構成されている。
【００４２】
そして、供給用中空構成体２８、中間平板構成体２９、戻し用中空構成体３０における加工は、例えば、プレス加工やエッチング加工により施されている。
また、供給用平板構成体２７と供給用中空構成体２８と中間平板構成体２９と戻し用中空構成体３０と戻し用平板構成体３１との接合については、供給用平板構成体２７と供給用中空構成体２８と中間平板構成体２９と戻し用中空構成体３０と戻し用平板構成体３１とを積層状態として、大きな接合面を備えて、例えば、ロウ付けにより接合するように構成されている。
【００４３】
前記ヘッダ本体６における熱媒受入用接続部７を接続する熱媒受入用接続箇所３２に、図３の（ロ）に示すように、供給用中空構成体２８における中空空間２８ａと連通しかつ戻し用中空構成体３０における中空空間３０ａと仕切られている状態で、供給用中空構成体２８と中間平板構成体２９と戻し用中空構成体３０との積層方向に延びる熱媒受入用中継路３３を形成すべく、熱媒受入用中継路形成部分３４が、図５の（ロ）〜（ニ）に示すように、供給用中空構成体２８と中間平板構成体２９と戻し用中空構成体３０とに備えられている。
【００４４】
説明を加えると、供給用中空構成体２８に備えられる熱媒受入用中継路形成部分３４は、図５の（ロ）に示すように、中空空間２８ａにて兼用され、中間平板構成体２９に備えられる熱媒受入用中継路形成部分３４は、図５の（ハ）に示すように、上下方向に貫通する貫通孔にて構成され、戻し用中空構成体３０に備えられる熱媒受入用中継路形成部分３４は、図５の（ニ）に示すように、中空空間３０ａと仕切られた状態で上下方向に貫通する貫通孔にて構成されている。
そして、図３の（ロ）に示すように、供給用平板構成体２７と供給用中空構成体２８と中間平板構成体２９と戻し用中空構成体３０と戻し用平板構成体３１とを積層状態で接合することにより、熱媒受入用中継路形成部分３４にて熱媒受入用中継路３３が形成されるように構成されている。
このようにして、熱媒受入用中継路３３は、供給用平板構成体２７と供給用中空構成体２８と中間平板構成体２９と戻し用中空構成体３０と戻し用平板構成体３１とを積層状態で接合することにより、熱媒供給用連通路１１と連通しかつ熱媒戻し用連通路１２と仕切られている状態で、複数の板状構成体２６の積層方向に沿って延びるように形成される。
【００４５】
そして、ヘッダ本体６における熱媒受入用接続箇所３２だけでなく、図３に示すように、ヘッダ本体６における熱媒供給部９を接続する熱媒供給用接続箇所３５、ヘッダ本体６における熱媒戻し用接続部８を接続する熱媒戻し用接続箇所３６、および、ヘッダ本体６における熱媒排出部１０を接続する熱媒排出用接続箇所３７にも、上述のような中継路を形成すべく、中継路形成部分が、図５の（ロ）〜（ニ）に示すように、供給用中空構成体２８と中間平板構成体２９と戻し用中空構成体３０とに備えられている。
【００４６】
すなわち、熱媒供給用接続箇所３５に、図３の（イ）に示すように、供給用中空構成体２８における中空空間２８ａと連通しかつ戻し用中空構成体３０における中空空間３０ａと仕切られている状態で、供給用中空構成体２８と中間平板構成体２９と戻し用中空構成体３０との積層方向に延びる熱媒供給用中継路３８を形成すべく、熱媒供給用中継路形成部分３９が、図５の（ロ）〜（ニ）に示すように、供給用中空構成体２８と中間平板構成体２９と戻し用中空構成体３０とに備えられている。
そして、熱媒戻し用接続箇所３６に、図３の（ハ）に示すように、戻し用中空構成体３０における中空空間３０ａと連通しかつ供給用中空構成体２８における中空空間２８ａと仕切られている状態で、供給用中空構成体２８と中間平板構成体２９と戻し用中空構成体３０との積層方向に延びる熱媒戻し用中継路４０を形成すべく、熱媒戻し用中継路形成部分４１が、図５の（ロ）〜（ニ）に示すように、供給用中空構成体２８と中間平板構成体２９と戻し用中空構成体３０とに備えられている。
また、熱媒排出用接続箇所３７に、図３の（イ）に示すように、戻し用中空構成体３０における中空空間３０ａと連通しかつ供給用中空構成体２８における中空空間２８ａと仕切られている状態で、供給用中空構成体２８と中間平板構成体２９と戻し用中空構成体３０との積層方向に延びる熱媒排出用中継路４２を形成すべく、熱媒排出用中継路形成部分４３が、図５の（ロ）〜（ニ）に示すように、供給用中空構成体２８と中間平板構成体２９と戻し用中空構成体３０とに備えられている。
【００４７】
そして、熱媒供給用中継路形成部分３９、熱媒戻し用中継路形成部分４１、および、熱媒排出用中継路形成部分４３については、熱媒受入用中継路形成部分３４と同様に、中空空間にて兼用したり、上下方向に貫通する貫通孔にて構成したり、中空空間と仕切られた状態で上下方向に貫通する貫通孔にて構成されている。
説明を加えると、供給用中空構成体２８に備えられる、熱媒供給用中継路形成部分３９、熱媒戻し用中継路形成部分４１、および、熱媒排出用中継路形成部分４３については、図５の（ロ）に示すように、中空空間２８ａにて兼用したり、あるいは、中空空間２８ａと仕切られた状態で上下方向に貫通する貫通孔にて構成されている。
そして、中間平板構成体２９に備えられる、熱媒供給用中継路形成部分３９、熱媒戻し用中継路形成部分４１、および、熱媒排出用中継路形成部分４３については、図５の（ハ）に示すように、上下方向に貫通する貫通孔にて構成されている。
また、戻し用中空構成体３０に備えられる、熱媒供給用中継路形成部分３９、熱媒戻し用中継路形成部分４１、および、熱媒排出用中継路形成部分４３については、図５の（ニ）に示すように、中空空間３０ａと仕切られた状態で上下方向に貫通する貫通孔にて構成したり、あるいは、中空空間３０ａにて兼用されている。
【００４８】
このようにして、供給用平板構成体２７と供給用中空構成体２８と中間平板構成体２９と戻し用中空構成体３０と戻し用平板構成体３１とを積層状態で接合することにより、熱媒受入用中継路３３、熱媒供給用中継路３８、熱媒戻し用中継路４０、および、熱媒排出用中継路４２を形成するように構成されている。
【００４９】
そして、供給用平板構成体２７と供給用中空構成体２８と中間平板構成体２９と戻し用中空構成体３０と戻し用平板構成体３１とを積層状態で接合したのち、熱媒受入用中継路３３、熱媒供給用中継路３８、熱媒戻し用中継路４０、および、熱媒排出用中継路４２に、例えば、ドリルにて孔加工することにより、熱媒受入用接続部７、熱媒戻し用接続部８、熱媒供給部９、および、熱媒排出部１０を接続するように構成されている。
【００５０】
以下、熱媒受入用接続部７、熱媒戻し用接続部８、熱媒供給部９、および、熱媒排出部１０の接続について説明を加えるが、基本的には同様であるので、熱媒受入用接続部７を接続する場合を例に挙げて説明を加える。
図６の（イ）に示すように、供給用平板構成体２７と供給用中空構成体２８と中間平板構成体２９と戻し用中空構成体３０と戻し用平板構成体３１とを積層状態で接合することにより、熱媒受入用接続箇所３２に熱媒受入用中継路３３が形成される。
そして、図６の（ロ）に示すように、熱媒受入用接続箇所３２において、供給用中空構成体２８と中間平板構成体２９と戻し用中空構成体３０とにわたる円形状の大径孔部４４をドリルにて孔加工したのち、その大径孔部４４の中央部分に、大径部４４と熱媒受入用中継路３３とを連通する円形状の小径孔部４５をドリルにて孔加工する。
その後、図６の（ハ）に示すように、大径孔部４４に熱媒受入用接続部７における円形状の鍔部７ａを嵌め込んだ状態で、ロウ付けにより熱媒受入用接続部７を熱媒受入用接続箇所３２に接続する。
【００５１】
そして、熱媒戻し用接続部８、熱媒供給部９、および、熱媒排出部１０の接続についても、熱媒受入用接続部７の接続と同様にして、ドリルにて大径孔部および小径孔部を孔加工して、ロウ付けすることにより行うようにしている。
【００８０】
〔別実施形態〕
（１）上記第１実施形態において、例えば、中間平板構成体２９を３枚の板体を積層して構成し、上下の板体の間に位置する真中の板体の内部を繰り抜いて、熱媒供給用連通路１１と熱媒戻し用連通路１２との間に中空空間を形成させて、熱媒供給用連通路１１と熱媒戻し用連通路１２との間を断熱するように構成して実施することも可能である。
【００８６】
（２）上記第１実施形態では、ヘッダ本体６の上下方向において、熱媒供給用連通路１１が熱媒戻し用連通路１２よりも上方側になるように、複数の板状構成体２６を積層状態で接合するようにしているが、熱媒戻し用連通路１２が熱媒供給用連通路１１よりも上方側になるように、複数の板状構成体２６を積層状態で接合して実施することも可能である。
【００８７】
（３）上記第１実施形態では、熱媒供給部９と熱媒排出部１０を４つずつ設けているが、熱媒供給部９と熱媒排出部１０の数については適宜変更が可能である。
【００８８】
（４）上記第１実施形態では、複数の板状構成体２６のいずれもが、真鍮製の薄板体にて構成されているが、複数の板状構成体２６の材質をステンレス製としてもよく、板状構成体２６の材質については適宜変更が可能である。
【図面の簡単な説明】
【図１】  床暖房パネルの平面図
【図２】  第１実施形態における床暖房パネル用熱媒ヘッダの斜視図
【図３】  第１実施形態における床暖房パネル用熱媒ヘッダの縦断面図
【図４】  第１実施形態におけるヘッダ本体の分解斜視図
【図５】  第１実施形態における板状構成体の平面図
【図６】  第１実施形態におけるヘッダ本体の要部を示す縦断面図
【符号の説明】
６              ヘッダ本体
７              熱媒受入用接続部
８              熱媒戻し用接続部
９              熱媒供給部
１０            熱媒排出部
１１            熱媒供給用連通路
１２            熱媒戻し用連通路
２６            板状構成体
２７            供給用平板構成体
２８            供給用中空構成体
２９            中間平板構成体
３０            戻し用中空構成体
３１            戻し用平板構成体
３２            熱媒受入用接続箇所
３３            熱媒受入用中継路
３４            熱媒受入用中継路形成部分
３５            熱媒供給用接続箇所
３６            熱媒戻し用接続箇所
３７            熱媒排出用接続箇所
３８            熱媒供給用中継路
３９            熱媒供給用中継路形成部分
４０            熱媒戻し用中継路
４１            熱媒戻し用中継路形成部分
４２            熱媒排出用中継路
４３            熱媒排出用中継路形成部分
【図１】
0004090387.tif 000002
【図２】
0004090387.tif 000003
【図３】
0004090387.tif 000004
【図４】
0004090387.tif 000005
【図５】
0004090387.tif 000006
【図６】
0004090387.tif 000007